(57)【要約】【課題】  故障発生時に、カバーのロックおよびロック解除を適切に行う。【解決手段】  複数のカバーロック部５１ａ〜５３ａ，５５ａ，５６ａは、複数のカバー５１〜５３，５５，５６のうちの所定のカバーのロックおよびロック解除を行う。ロック制御部７３は、カバーロック部５１ａ〜５３ａ，５５ａ，５６ａを制御してカバー５１〜５３，５５，５６のロック状態を制御する。複数のカバー５１〜５３，５５，５６は、カバーロック部が設けられていない第１カバーと、カバーロック部が設けられており所定ユーザーおよびサービスパーソンに対してロック解除が許可される第２カバーと、カバーロック部が設けられておりサービスパーソンに対してロック解除が許可される第３カバーとを含む。そして、ロック制御部７３は、ログイン中のユーザーまたはユーザー認証されたユーザーのユーザーレベルに応じて、第２カバーのロック解除を実行するか否かを判定する。【選択図】  図２
2020024343.tif 000002
【特許請求の範囲】
【請求項１】
筐体に設けられた開閉可能な複数のカバーと、
制御信号に従って前記複数のカバーのうちの所定のカバーをロックするとともに前記所定のカバーのロックを解除する複数のカバーロック部と、
前記カバーロック部を制御して前記カバーの状態をロック状態およびロック解除状態の一方から他方へ変更するロック制御部とを備え、
前記複数のカバーは、前記カバーロック部が設けられていない第１カバーと、前記カバーロック部が設けられており所定ユーザーおよびサービスパーソンに対してロック解除が許可される第２カバーと、前記カバーロック部が設けられており前記サービスパーソンに対してロック解除が許可される第３カバーとを含み、
前記ロック制御部は、ログイン中のユーザーまたはユーザー認証されたユーザーのユーザーレベルに応じて、前記第２カバーのロック解除を実行するか否かを判定すること、
を特徴とする画像形成装置。
【請求項２】
前記第２カバーと当該第２カバーのロック解除が許可されるユーザーレベルとの対応関係を示す対応関係データを記憶する記憶装置をさらに備え、
前記ロック制御部は、ログイン中のユーザーまたはユーザー認証されたユーザーのユーザーレベルを特定し、前記対応関係データに基づいて、特定した前記ユーザーレベルでロック解除が許可される前記第２カバーを特定し、ロック解除が許可されると特定された前記第２カバーのロック解除を実行し、ロック解除が許可されると特定されなかった前記第２カバーのロック解除を実行しないこと、
を特徴とする請求項１記載の画像形成装置。
【請求項３】
定着器をさらに備え、
前記第２カバーは、前記定着器でジャムが発生した際にプリント用紙を取り除くための特定カバーを含み、
前記ロック制御部は、（ａ）前記定着器でジャムが発生した際に前記定着器の温度が所定値以上である場合には、前記ユーザーレベルに拘わらず前記ユーザーに対して前記特定カバーのロック解除を許可せず、前記サービスパーソンに対して前記特定カバーのロック解除を許可し、（ｂ）前記定着器でジャムが発生した際に前記定着器の温度が所定値未満である場合には、前記ユーザーレベルに応じて前記特定カバーのロック解除を許可するとともに、前記サービスパーソンに対して前記特定カバーのロック解除を許可すること、
を特徴とする請求項１または請求項２記載の画像形成装置。
【発明の詳細な説明】
【技術分野】
【０００１】
本発明は、画像形成装置に関するものである。
【背景技術】
【０００２】
ある画像形成装置は、ジャム発生時にユーザーが紙詰りしたプリント用紙を取り除くためのカバーを備え、ジャム発生時に、ロック機構で、そのカバーを開けられないようにロックし、所定年齢以上のユーザーがログイン情報を入力すると、カバーのロックを解除している（例えば特許文献１参照）。
【先行技術文献】
【特許文献】
【０００３】
【特許文献１】特開２０１７−１３３２５号公報
【発明の概要】
【発明が解決しようとする課題】
【０００４】
しかしながら、上述の画像形成装置において、所定年齢以上のどのユーザーによってもカバーのロック解除が可能であると、装置の構造に詳しくないユーザーによる故障解消のための作業が正しく行われない可能性がある。
【０００５】
本発明は、上記の問題に鑑みてなされたものであり、故障発生時に、カバーのロックおよびロック解除を適切に行う画像形成装置を得ることを目的とする。
【課題を解決するための手段】
【０００６】
本発明に係る画像形成装置は、筐体に設けられた開閉可能な複数のカバーと、制御信号に従って前記複数のカバーのうちの所定のカバーをロックするとともに前記所定のカバーのロックを解除する複数のカバーロック部と、前記カバーロック部を制御して前記カバーの状態をロック状態およびロック解除状態の一方から他方へ変更するロック制御部とを備える。前記複数のカバーは、前記カバーロック部が設けられていない第１カバーと、前記カバーロック部が設けられており所定ユーザーおよびサービスパーソンに対してロック解除が許可される第２カバーと、前記カバーロック部が設けられており前記サービスパーソンに対してロック解除が許可される第３カバーとを含む。そして、前記ロック制御部は、ログイン中のユーザーまたはユーザー認証されたユーザーのユーザーレベルに応じて、前記第２カバーのロック解除を実行するか否かを判定する。
【発明の効果】
【０００７】
本発明によれば、故障発生時に、カバーのロックおよびロック解除を適切に行う画像形成装置が得られる。
【０００８】
本発明の上記又は他の目的、特徴および優位性は、添付の図面とともに以下の詳細な説明から更に明らかになる。
【図面の簡単な説明】
【０００９】
【図１】図１は、本発明の実施の形態１に係る画像形成装置の機械的な内部構成の一部を示す側面図である。
【図２】図２は、本発明の実施の形態に係る画像形成装置の電気的な構成の一部を示すブロック図である。
【図３】図３は、本発明の実施の形態に係る画像形成装置の筐体に設けられているカバーおよびセンサーの位置の一例を示す図である。
【図４】図４は、図１〜図３に示す画像形成装置の動作について説明するフローチャートである。
【発明を実施するための形態】
【００１０】
以下、図に基づいて本発明の実施の形態を説明する。
【００１１】
図１は、本発明の実施の形態１に係る画像形成装置の機械的な内部構成の一部を示す側面図である。図１に示す画像形成装置は、プリンター、ファクシミリ装置、複写機、複合機などといった、電子写真方式のプリント機能を有する装置である。
【００１２】
この実施の形態の画像形成装置は、タンデム方式のカラー現像装置を有する。このカラー現像装置は、感光体ドラム１ａ〜１ｄ、露光装置２ａ〜２ｄおよび現像装置３ａ〜３ｄを備える。感光体ドラム１ａ〜１ｄは、シアン、マゼンタ、イエロー、およびブラックの４色のトナー色に対応する感光体である。
【００１３】
露光装置２ａ〜２ｄは、感光体ドラム１ａ〜１ｄへレーザー光を走査しつつ照射して静電潜像を形成する装置である。レーザー光は、感光体ドラム１ａ〜１ｄの回転方向（副走査方向）に垂直な方向（主走査方向）に走査される。露光装置２ａ〜２ｄは、レーザー光の光源であるレーザーダイオード、およびそのレーザー光を感光体ドラム１ａ〜１ｄへ導く光学素子（レンズ、ミラー、ポリゴンミラーなど）を含むレーザースキャニングユニットを有する。
【００１４】
さらに、感光体ドラム１ａ〜１ｄの周囲には、スコロトロン等の帯電器、クリーニング装置、除電器などが配置されている。クリーニング装置は、１次転写後に、感光体ドラム１ａ〜１ｄ上の残留トナーを除去し、除電器は、１次転写後に、感光体ドラム１ａ〜１ｄを除電する。
【００１５】
現像装置３ａ〜３ｄは、シアン、マゼンタ、イエロー、およびブラックの４色のトナーがそれぞれ充填されるトナーカートリッジと、トナーカートリッジ内のトナーホッパーから搬送されてくるトナーを感光体ドラム１ａ〜１ｄへ付着させる現像器とを備え、そのトナーを感光体ドラム１ａ〜１ｄ上の静電潜像に付着させてトナー画像を形成する。
【００１６】
感光体ドラム１ａ、露光装置２ａおよび現像装置３ａにより、プリントすべき画像のマゼンタ成分の現像が行われ、感光体ドラム１ｂ、露光装置２ｂおよび現像装置３ｂにより、プリントすべき画像のシアン成分の現像が行われ、感光体ドラム１ｃ、露光装置２ｃおよび現像装置３ｃにより、プリントすべき画像のイエロー成分の現像が行われる。感光体ドラム１ｄ、露光装置２ｄおよび現像装置３ｄにより、プリントすべき画像のブラック成分の現像が行われる。
【００１７】
中間転写ベルト４は、感光体ドラム１ａ〜１ｄに接触し、感光体ドラム１ａ〜１ｄ上のトナー画像を１次転写される環状の像担持体（中間転写体）である。中間転写ベルト４は、駆動ローラー５に張架され、駆動ローラー５からの駆動力によって、感光体ドラム１ｄとの接触位置から感光体ドラム１ａとの接触位置への方向へ周回していく。
【００１８】
転写ローラー６は、後述するように搬送されてくる用紙を中間転写ベルト４に接触させ、中間転写ベルト４上のトナー画像を用紙に２次転写する。なお、トナー画像を転写された用紙は、定着器９へ搬送され、トナー画像が用紙へ定着される。
【００１９】
ローラー７は、クリーニングブラシを有し、クリーニングブラシを中間転写ベルト４に接触させ、用紙へのトナー画像の転写後やキャリブレーション後に中間転写ベルト４に残ったトナーを除去する。
【００２０】
トナー濃度センサー８は、中間転写ベルト４に光線を照射し、中間転写ベルト４の表面またはその表面上のトナーパターンからの反射光を検出する。例えば、トナー濃度センサー８は、トナー階調のキャリブレーションの際に、中間転写ベルト４の所定の領域（キャリブレーション用のトナーパッチが転写される領域）に光線を照射し光線の反射光を検出し、その光量に応じた電気信号を出力する。
【００２１】
さらに、この実施の形態に係る画像形成装置は、複数の給紙カセット１１，１２，１３，１４を備えている。なお、給紙カセット１１，１２は、当該画像形成装置の本体に設けられており、給紙カセット１３，１４は、当該画像形成装置の本体に対して着脱可能なオプション給紙装置に設けられている。
【００２２】
給紙カセット１１，１２，１３，１４は、用紙１０１，１０２，１０３，１０４を収容しており、リフト板２１，２４，３１，３４で用紙１０１，１０２，１０３，１０４を上方に押し上げてピックアップローラー２２，２５，３２，３５に当接させる。給紙カセット１１，１２，１３，１４に載置された用紙１０１，１０２，１０３，１０４は上側から１枚ずつピックアップローラー２２，２５，３２，３５によって給紙ローラー２３，２６，３３，３６へピックアップされる。給紙ローラー２３，２６，３３，３６は、給紙カセット１１，１２，１３，１４からピックアップローラー２２，２５，３２，３５によって給紙された用紙１０１，１０２，１０３，１０４を１枚ずつ搬送路上へ搬送するローラーである。
【００２３】
搬送ローラー２７は、給紙カセット１１，１２，１３，１４から搬送されてくる用紙１０１，１０２，１０３，１０４に共通な搬送路上の搬送ローラーである。
【００２４】
レジストローラー４１は、搬送されてくる用紙を一時停止させ、２次給紙タイミングでその用紙を中間転写ベルト４および転写ローラー６による転写位置へ搬送する。２次給紙タイミングは、その用紙上の指定された位置に中間転写ベルト４上のトナー画像が転写されるように後述のコントローラー６１によって指定される。
【００２５】
レジストセンサー４２は、レジストローラー４１の近傍に設置され、搬送路を搬送されてくる用紙１０１，１０２，１０３，１０４がレジストローラー４１に到達したことを検出する光学センサーである。
【００２６】
搬送センサー４３は、搬送路上を搬送されている用紙１０１，１０２，１０３，１０４が所定位置（搬送センサー４３の設置位置）に到達したことを検出する光学センサーである。搬送センサー４３は、当該画像形成装置の本体において、レジストセンサー４２より上流側に設置されている。
【００２７】
搬送センサー４４は、搬送路上を搬送されている用紙１０３，１０４が所定位置（搬送センサー４４の設置位置）に到達したことを検出する光学センサーである。搬送センサー４４は、上述のオプション給紙装置に設置されている。
【００２８】
搬送センサー４５は、搬送路上を搬送されている用紙１０１，１０２，１０３，１０４が所定位置（搬送センサー４５の設置位置）に到達したことを検出する光学センサーである。搬送センサー４５は、当該画像形成装置の本体において定着器９の下流側に設置されている。
【００２９】
ブリッジ搬送センサー４６は、搬送路上を搬送されている用紙１０１，１０２，１０３，１０４が所定位置（ブリッジ搬送センサー４６の設置位置）に到達したことを検出する光学センサーである。ブリッジ搬送センサー４６は、当該画像形成装置の本体におけるブリッジ搬送路に設置されている。なお、ブリッジ搬送路は、フィニッシャーへ用紙を搬送するための搬送路であって、定着器９の下流において本体搬送路から分岐している搬送路である。
【００３０】
図２は、本発明の実施の形態に係る画像形成装置の電気的な構成の一部を示すブロック図である。図３は、本発明の実施の形態に係る画像形成装置（本体、オプション給紙装置、およびフィニッシャーを含む）の筐体に設けられているカバーおよびセンサーの位置の一例を示す図である。
【００３１】
図２および図３に示すように、この画像形成装置は、さらに、フィニッシャー搬入センサー４７を備える。フィニッシャー搬入センサー４７は、当該画像形成装置の本体に対して着脱可能なフィニッシャーにおいて、ブリッジ搬送路上を搬送されている用紙１０１，１０２，１０３，１０４が所定位置（フィニッシャー搬入センサー４７の設置位置）に到達したことを検出する光学センサーである。フィニッシャー搬入センサー４７は、フィニッシャー側の搬入口近傍におけるブリッジ搬送路に設置されている。
【００３２】
なお、以後、レジストセンサー４２、搬送センサー４３，４４，４５、ブリッジ搬送センサー４６、およびフィニッシャー搬入センサー４７を単にセンサーと呼ぶ。このように、センサー４２〜４７は、プリント用紙のシート搬送路に設けられたプリント用紙シート検出用の光電センサーである。センサー４２〜４７は、反射式のセンサーであって、搬送路の所定位置に測定光を照射する発光部と、その所定位置からの反射光を受光し受光光量に応じた出力信号を出力する受光部とを備える。したがって、その所定位置に用紙シートが存在する場合には受光光量が大きく、そうではない場合には受光光量が小さくなる。
【００３３】
また、図２および図３に示すように、この画像形成装置は、筐体に設けられた開閉可能な複数のカバー５１〜５６と、制御信号に従って複数のカバー５１〜５６のうちの所定のカバーをロックするとともにそのカバーのロックを解除する複数のカバーロック部５１ａ〜５３ａ，５５ａ，５６ａとを備える。
【００３４】
カバー５１は、本体側面（上側）に設けられており、カバー５２は、本体側面（下側）に設けられている。カバー５３は、オプション給紙装置の側面に設けられている。カバー５４は、ブリッジ搬送路の上方に設けられている。カバー５５は、フィニッシャーの前面に設けられている。カバー５１〜５５は、ジャムなどに起因して、搬送路上で停止しているプリント用紙を取り除くためのカバーである。カバー５６は、本体前面に設けられており、現像装置３ａ〜３ｄやトナーカートリッジを交換するためのカバーである。
【００３５】
カバーロック部５１ａ〜５３ａ，５５ａ，５６ａは、制御信号に従って複数のカバー５１〜５６のうちの所定のカバーをロックするとともにそのカバーのロックを解除する。
【００３６】
例えば、カバーロック部５１ａ〜５３ａ，５５ａ，５６ａは、制御信号に従ってカバーのロックを機械的に行うアクチュエーターを備える。
【００３７】
カバーロック部５１ａ〜５３ａ，５５ａ，５６ａがカバー５１〜５３，５５，５６をロックしている状態では、ユーザーやサービスパーソンによるカバー５１〜５３，５５，５６の開閉が禁止され、ロック解除の状態では、ユーザーやサービスパーソンによるカバー５１〜５３，５５，５６の開閉が可能となっている。
【００３８】
さらに、図２に示すように、この画像形成装置は、コントローラー６１、記憶装置６２、および操作パネル６３を備える。
【００３９】
コントローラー６１は、コンピューター、ＡＳＩＣ（Application Specific Integrated Circuit）などを備え、ソフトウェアおよび／またはハードウェアで各種処理部を実現し、図１に示すようなプリント装置などの内部デバイスを監視および制御するとともに、各種データ処理を行う。例えば、コントローラー６１は、上述のローラーなどを駆動する図示せぬ駆動源、１次転写バイアスを印加するバイアス回路、現像装置３ａ〜３ｄ、露光装置２ａ〜２ｄなどを制御して、トナー画像の現像、転写および定着、並びに用紙の給紙、搬送および排紙を実行させる。
【００４０】
また、コントローラー６１は、当該画像形成装置の故障（用紙のジャム、トナーエンプティ、現像装置３ａ〜３ｄの使用限度到達など）を検出する。具体的には、コントローラー６１は、プリント用紙の各シートの搬送を制御するために、上述のセンサー４２〜４７の出力信号に基づいて、プリント用紙シートの搬送路の所定位置におけるプリント用紙シートの有無を特定し、用紙のジャムを検出する。また、コントローラー６１は、既存の方法で、トナーカートリッジのトナーエンプティを検出したり、現像装置３ａ〜３ｄの使用限度到達を検出したりする。
【００４１】
記憶装置６２は、フラッシュメモリーなどの不揮発性の記憶装置である。記憶装置に６２には、コントローラー６１用のプログラムやデータなどが予め記憶されている。この実施の形態では、記憶装置６２には、対応関係データ８１が記憶されている。
【００４２】
操作パネル６３は、ユーザーに対して操作画面などを表示する表示装置（液晶ディスプレイなど）、およびユーザー操作を受け付ける入力装置（タッチパネル、ハードキーなどを備える。
【００４３】
また、コントローラー６１は、ログイン処理部７１、メンテナンス処理部７２、およびロック制御部７３として動作する。
【００４４】
ログイン処理部７１は、操作パネル６３にログイン画面を表示し、ログイン画面に対してユーザー認証情報（ユーザーＩＤおよびパスワード）を入力するユーザー操作を操作パネル６３で検出すると、入力されたユーザー認証情報に基づいてユーザー認証を実行し、ユーザー認証に成功すると、当該画像形成装置の各種機能を使用するためのメニュー画面を操作パネル６３に表示する。ユーザー認証に成功したユーザーは、ログインユーザーとして、ログアウトするまで、メニュー画面を操作して、各種機能を使用する。
【００４５】
メンテナンス処理部７２は、操作パネル６３に対する特定操作（例えば、パスワードの入力など）に基づき、サービスパーソンの認証を実行し、認証に成功した場合、サービスパーソンによるメンテナンス作業を許可する。認証に成功した場合、メンテナンス処理部７２は、サービスパーソンによる操作に従ってメンテナンス作業（ログの読み出し、設定変更など）を実行する。
【００４６】
ロック制御部７３は、カバーロック部５１ａ〜５３ａ，５５ａ，５６ａを制御してカバー５１〜５３，５５，５６の状態をロック状態およびロック解除状態の一方から他方へ変更する。
【００４７】
上述の複数のカバー５１〜５３，５５，５６は、カバーロック部５１ａ〜５３ａ，５５ａ，５６ａが設けられていない第１カバー（ここでは、カバー５４）と、カバーロック部が設けられており所定ユーザーおよびサービスパーソンに対してロック解除が許可される第２カバー（ここでは、カバー５２，５３，５５，５６）と、カバーロック部が設けられておりサービスパーソンに対してロック解除が許可される第３カバー（ここでは、カバー５１）とを含む。そして、ロック制御部７３は、ログイン中のユーザー（ログインユーザー）または（故障検出後に）ユーザー認証されたユーザーのユーザーレベルに応じて、上述の第２カバーのロック解除を実行するか否かを判定する。
【００４８】
なお、ユーザー認証に使用される図示せぬユーザー登録データに基づいて、ユーザーレベルが特定される。つまり、ユーザー登録データは、各登録ユーザーの、ユーザー認証情報（ユーザーＩＤおよびパスワード）およびユーザーレベル情報を含む。ユーザー登録データは、記憶装置６２または図示せぬサーバーなどに記憶され、必要に応じて読み出される。
【００４９】
また、対応関係データ８１は、各第２カバーとその第２カバーのロック解除が許可されるユーザーレベルとの対応関係を示すデータである。対応関係データ８１は、記憶装置６２に予め記憶される。そして、ロック制御部７３は、ログイン中のユーザーまたはユーザー認証されたユーザーのユーザーレベルを特定し、対応関係データ８１に基づいて、特定したユーザーレベルでロック解除が許可される第２カバーを特定し、ロック解除が許可されると特定された１または複数の第２カバーのロック解除を実行し、ロック解除が許可されると特定されなかった第２カバーのロック解除を実行しない。
【００５０】
次に、上記画像形成装置の動作について説明する。図４は、図１〜図３に示す画像形成装置の動作について説明するフローチャートである。
【００５１】
ロック制御部７３は、当該画像形成装置内での故障（例えば、コピージョブ実行時のジャムやプリントジョブ実行時のジャム）を検出すると（ステップＳ１）、ログイン中のユーザーがいるか否かを判定し（ステップＳ２）、ログイン中のユーザーがいる場合には、そのログインユーザーのユーザーレベルを特定し（ステップＳ３）、カバーロック部５１ａ〜５３ａ，５５ａ，５６ａを使用して、カバー５１〜５３，５５，５６のうち、特定したユーザーレベルに対応してロック解除が許可されているカバーを除くすべてのカバーをロックする（ステップＳ４）。そして、ロック制御部７３は、ロック状態のカバーを示すメッセージを操作パネル６３に表示する（ステップＳ５）。
【００５２】
一方、故障検出時にログイン中のユーザーがいない場合（例えば、リモートのホスト装置から要求されたプリントジョブを実行している際に故障が検出された場合）、ロック制御部７３は、すべてのカバー５１〜５３，５５，５６をロックする（ステップＳ６）。そして、ロック制御部７３は、ロック状態のカバーを示すメッセージを操作パネル６３に表示する（ステップＳ５）。
【００５３】
このようにして、故障検出後、ロック状態のカバーがある場合、コントローラー６１は、故障が解消されるまで、ジョブ要求の受け付けを停止する。
【００５４】
操作パネル６３に表示されたロック状態のカバーを示すメッセージを含む画面には、ユーザー認証情報を入力するための入力フィールドおよびサービスパーソン認証情報を入力するための入力フィールドが併せて表示される。
【００５５】
そして、ユーザーによって、ユーザー認証情報を入力するための入力フィールドにユーザー認証情報が操作パネル６３において入力されると、ロック制御部７３は、入力されたユーザー認証情報に基づいてユーザー認証を実行し（ステップＳ７）、ユーザー認証に成功すると、そのユーザーのユーザーレベルを特定し、カバーロック部５１ａ〜５３ａ，５５ａ，５６ａを使用して、カバー５１〜５３，５５，５６のうち、ロックされているカバーであり、かつ、ユーザーレベルに応じてロック解除が許可されているカバーのロック解除を行う（ステップＳ８）。
【００５６】
また、サービスパーソンによって、サービスパーソン認証情報を入力するための入力フィールドにサービスパーソン認証情報が操作パネル６３において入力されると、ロック制御部７３は、入力されたサービスパーソン認証情報に基づいてサービスパーソンの認証を実行し（ステップＳ９）、サービスパーソンの認証に成功すると、カバー５１〜５３，５５，５６のうち、ロックされているすべてのカバーのロック解除を行う（ステップＳ１０）。
【００５７】
さらに、ユーザーまたはサービスパーソンが故障解消の作業を完了すると、コントローラー６１は、故障解消を検出し（ステップＳ１１）、当該処理を終了する。
【００５８】
以上のように、上記実施の形態によれば、複数のカバーロック部５１ａ〜５３ａ，５５ａ，５６ａは、制御信号に従って複数のカバー５１〜５３，５５，５６のうちの所定のカバーをロックするとともにそのカバーのロックを解除する。ロック制御部７３は、カバーロック部５１ａ〜５３ａ，５５ａ，５６ａを制御してカバー５１〜５３，５５，５６の状態をロック状態およびロック解除状態の一方から他方へ変更する。複数のカバー５１〜５３，５５，５６は、カバーロック部が設けられていない第１カバー（つまり、故障検出時にロックされないカバー）と、カバーロック部が設けられており所定ユーザーおよびサービスパーソンに対してロック解除が許可される第２カバー（つまり、故障検出時にロックされるが、特定のユーザーやサービスパーソンには開閉が許可されるカバー）と、カバーロック部が設けられておりサービスパーソンに対してロック解除が許可される第３カバー（つまり、故障検出時にロックされるが、ユーザーには開閉が許可されず、サービスパーソンには開閉が許可されるカバー）とを含む。そして、ロック制御部７３は、ログイン中のユーザーまたはユーザー認証されたユーザーのユーザーレベルに応じて、第２カバーのロック解除を実行するか否かを判定する。
【００５９】
これにより、故障発生時に、カバー５１〜５３，５５，５６のロックおよびロック解除が適切に行われる。
【００６０】
つまり、カバー５１〜５３，５５，５６の場所によって、（ａ）どのユーザーがその内部に触れても問題ないカバー、（ｂ）装置の構造に詳しくないユーザーがその内部に触れないほうが好ましく、装置の構造に詳しいユーザーであればその内部に触れても問題ないカバー、および（ｃ）どのユーザーもその内部に触れないほうが好ましいカバーがあり、それらのカバーが、上述の第１カバー、第２カバーおよび第３カバーに予め分類され、また、装置の構造に詳しくないユーザーおよび装置の構造に詳しいユーザーが上述のユーザーレベルで予め分類されており、カバーの場所およびユーザーレベルに基づいて、故障発生時に、カバー５１〜５３，５５，５６のロックおよびロック解除が適切に行われる。
【００６１】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００６２】
例えば、上記実施の形態において、カバー５１（定着器９でジャムが発生した際にプリント用紙を取り除くための特定カバー）を第２カバーとし、ロック制御部７３は、（ａ）定着器９でジャムが発生した際に定着器９の温度が所定値以上である場合には、ユーザーレベルに拘わらずユーザーに対して上述の特定カバーのロック解除を許可せず、サービスパーソンに対して上述の特定カバーのロック解除を許可し、（ｂ）定着器９でジャムが発生した際に定着器９の温度が所定値未満である場合には、ユーザーレベルに応じて上述の特定カバーのロック解除を許可するとともに、サービスパーソンに対して上述の特定カバーのロック解除を許可するようにしてもよい。なお、定着器９の温度は、例えば、温度センサーを使用して検出される。
【００６３】
また、上記実施の形態において、ユーザー認証およびサービスパーソンの認証を図示せぬ外部の認証サーバーで行うようにしてもよい。その場合、コントローラー６１は、図示せぬネットワークインターフェイスを使用して、ユーザーまたはサービスパーソンの認証情報をその認証サーバーへ送信し、ユーザー認証およびサービスパーソンの認証をその認証サーバーに実行させ、その認証結果を認証サーバーから受信するとともに、ユーザー認証成功の場合には、併せて、その認証結果とともにそのユーザーのユーザーレベルを認証サーバーから受信する。
【産業上の利用可能性】
【００６４】
本発明は、例えば、画像形成装置に適用可能である。
【符号の説明】
【００６５】
９  定着器
５１〜５６  カバー
５１ａ〜５３ａ，５５ａ，５６ａ  カバーロック部
６２  記憶装置
７３  ロック制御部
８１  対応関係データ
【図１】
2020024343.tif 000003
【図２】
2020024343.tif 000004
【図３】
2020024343.tif 000005
【図４】
2020024343.tif 000006